(57)【要約】【課題】上下風向板への露の付着を防止することができる空気調和機の室内機を得る。【解決手段】空気調和機の室内機１の制御装置は、冷房運転を開始すると、まず、下フラップ２００を反時計回りに傾動させて下ストッパー２６０に当接させ（Ｓ１）、その後、下フラップ２００を時計回りに傾動させてファンケーシング６０内に停止させ（Ｓ２）、さらに、前フラップ１００を反時計回りに傾動させて前ストッパー１６０に当接させ（Ｓ３）、その後、前フラップ１００を時計回りに傾動させて、ファンケーシング６０内に停止させ（Ｓ４）、下フラップ２００と前フラップ１００とは、端縁同士の間に隙間があるものの、両者は略同一曲面を形成するように段差なく滑らかに配置する。【選択図】図６
2010281550.tif 000002
【特許請求の範囲】
【請求項１】
送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップを傾動する前傾動手段と、
前記下フラップを傾動する下傾動手段と、
前記前フラップと前記下フラップとが、前記吹出風路内において所定の間隔を空けて滑らかに繋がる面を形成する姿勢に停止するように、前記前傾動手段および前記下傾動手段を制御する制御手段と、
を有することを特徴とする空気調和機の室内機。
【請求項２】
送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップが前記ファンケーシングの内側に向かって傾動した際の傾動範囲を規定する前ストッパーと、
前記下フラップが前記ファンケーシングの外側に向かって傾動した際の傾動範囲を規定する下ストッパーと、
前記前フラップを傾動する前傾動手段と、
前記下フラップを傾動する下傾動手段と、
前記前傾動手段および前記下傾動手段を制御する制御手段と、を有し、
前記制御手段が、運転停止時に、前記前フラップを前記前面と平行の姿勢にし、且つ、前記下フラップを前記下面と平行の姿勢にし、
冷房運転開始時に、前記下フラップを前記下ストッパーに当接する方向に傾動させて前記下ストッパーに当接させる第１ステップと、
該第１ステップに続いて、前記下フラップを前記下ストッパーから離れる方向に傾動させて、前記吹出風路内に停止させる第２ステップと、
該第２ステップに続いて、前記前フラップを前記前ストッパーに当接する方向に傾動させて前記前ストッパーに当接させる第３ステップと、
該第３ステップに続いて、前記前フラップを前記前ストッパーから離れる方向に傾動させて、前記下フラップに対して所定の間隔を空けて滑らかに繋がる面を形成する姿勢に停止させる第４ステップと、を実行させることを特徴とする空気調和機の室内機。
【請求項３】
運転停止時に前記前フラップの前記吹出風路側に位置する前フラップ裏面に、前フラップアームが固定され、該前フラップアームの先端に該前フラップアームを回転自在に支持する前フラップ回転軸が設けられ、
運転停止時に前記下フラップの前記吹出風路側に位置する下フラップ裏面に、下フラップアームが固定され、該下フラップアームの先端に該下フラップアームを回転自在に支持する下フラップ回転軸が設けられ、
前記第４ステップにおいて、前記前フラップ裏面は下方側に位置し、前記下フラップ裏面が上方側に位置することを特徴とする請求項２記載の空気調和機の室内機。
【請求項４】
前記制御手段が冷房運転終了時に、前記前フラップを前記前ストッパーに当接する方向に傾動させて前記前ストッパーに当接させる第５ステップと、
該第５ステップに続いて、前記前フラップを前記前ストッパーから離れる方向に傾動させて、前記前面と平行になる姿勢に停止させる第６ステップと、
該第６ステップに続いて、前記下フラップを前記下ストッパーに当接する方向に傾動させて前記下ストッパーに当接させる第７ステップと、
該第７ステップに続いて、前記下フラップを前記下ストッパーから離れる方向に傾動させて、前記下フラップを前記下面と平行の姿勢に停止させる第８ステップと、を実行させることを特徴とする請求項２または３記載の空気調和機の室内機。
【請求項５】
送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップを傾動する前傾動手段と、
前記下フラップを傾動する下傾動手段と、
前記下フラップが前記吹出口を横切る姿勢に停止し、前記前フラップが前記下フラップに対向して、風流れの下流になる程近づく姿勢に停止するように、前記前傾動手段および前記下傾動手段を制御する制御手段と、
を有することを特徴とする空気調和機の室内機。
【請求項６】
送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップが前記ファンケーシングの内側に向かって傾動した際の傾動範囲を規定する前ストッパーと、
前記下フラップが前記ファンケーシングの外側に向かって傾動した際の傾動範囲を規定する下ストッパーと、
前記前フラップを傾動する前傾動手段と、
前記下フラップを傾動する下傾動手段と、
前記前傾動手段および前記下傾動手段を制御する制御手段と、を有し、
前記制御手段が、運転停止時に、前記前フラップを前記前面と平行の姿勢にし、且つ、前記下フラップを前記下面と平行の姿勢にし、
暖房運転開始時に、前記下フラップを前記下ストッパーに当接する方向に傾動させて前記下ストッパーに当接させる第１ステップと、
該第１ステップに続いて、前記下フラップを前記下ストッパーから離れる方向に傾動させて、前記吹出口を横切る姿勢に停止させる第２ステップと、
該第２ステップに続いて、前記前フラップを前記前ストッパーに当接する方向に傾動させて前記前ストッパーに当接させる第３ステップと、
該第３ステップに続いて、前記前フラップを前記前ストッパーから離れる方向に傾動させて、前記下フラップに対向して、風流れの下流になる程近づく姿勢に停止させる第４ステップと、を実行させることを特徴とする空気調和機の室内機。
【請求項７】
運転停止時に前記前フラップの前記吹出風路側に位置する前フラップ裏面に、前フラップアームが固定され、該前フラップアームの先端に該前フラップアームを回転自在に支持する前フラップ回転軸が設けられ、
運転停止時に前記下フラップの前記吹出風路側に位置する下フラップ裏面に、下フラップアームが固定され、該下フラップアームの先端に該下フラップアームを回転自在に支持する下フラップ回転軸が設けられ、
前記第４ステップにおいて、前記前フラップ裏面は斜め上方側に位置し、前記下フラップ裏面が斜め下方側に位置することを特徴とする請求項６記載の空気調和機の室内機。
【請求項８】
前記制御手段が暖房運転終了時に、前記前フラップを前記前ストッパーに当接する方向に傾動させて前記前ストッパーに当接させる第５ステップと、
該第５ステップに続いて、前記前フラップを前記前ストッパーから離れる方向に傾動させて、前記前面と平行になる姿勢に停止させる第６ステップと、
該第６ステップに続いて、前記下フラップを前記下ストッパーに当接する方向に傾動させて前記下ストッパーに当接させる第７ステップと、
該第７ステップに続いて、前記下フラップを前記下ストッパーから離れる方向に傾動させて、前記下フラップを前記下面と平行の姿勢に停止させる第８ステップと、を実行させることを特徴とする請求項６または７記載の空気調和機の室内機。
【発明の詳細な説明】
【技術分野】
【０００１】
本発明は空気調和機の室内機、特に、吹出口に風向板を有する空気調和機の室内機に関するものである。
【背景技術】
【０００２】
従来、空気調和機の室内機（室内ユニットに同じ）において、吹出口の開口縁に露が付着しないように、吹出流路の長さを十分に確保する発明が開示されている（例えば、特許文献１参照。）。
【先行技術文献】
【特許文献】
【０００３】
【特許文献１】特開平５−２７２７９９号公報（第３−４頁、図１）
【発明の概要】
【発明が解決しようとする課題】
【０００４】
特許文献１に開示された空気調和機の室内機は、吹出口を開閉する一対の吹出壁を設けたものであって、かかる吹出壁は吹出口の開口高さの中間を境として上下方向に観音開き式に開閉するから、吹出口の開口縁への露の付着を抑えることができるものである。
しかしながら、冷房運転時（開口時）には、上方に配置された吹出壁の下面と下方に配置された吹出壁の上面とが略平行になって風路を形成し、吹出壁自体が冷却されることから、上方に配置された吹出壁の上面（風路の裏面）と下方に配置された吹出壁の下面（風路の裏面）とに露が付着するという問題があった。そして、室内への露の滴下によって快適性が損なわれていた。
【０００５】
本発明は、前記問題を解決するためになされたものであって、吹出口自体および吹出口に設置された吹出壁（風向き板）への露の付着を防止することができる空気調和機の室内機を得るものである。
【課題を解決するための手段】
【０００６】
本発明に係る空気調和機の室内機は、送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップを傾動する前傾動手段と、
前記下フラップを傾動する下傾動手段と、
前記前フラップと前記下フラップとが、前記吹出風路内において所定の間隔を空けて滑らかに繋がる面を形成する姿勢に停止するように、前記前傾動手段および前記下傾動手段を制御する制御手段と、
を有することを特徴とする。
【発明の効果】
【０００７】
本発明に係る空気調和機の室内機は、制御手段が前傾動手段および下傾動手段を制御して、前フラップと下フラップとが、吹出風路内において所定の間隔を空けて滑らかに繋がる面を形成する姿勢に停止するようにするから、所定の方向（たとえば、略水平方向）に冷却された空気を吹き出すことができる。このとき、前フラップの表面および裏面と下フラップの表面および裏面とは、何れも吹き出される空気（冷風）に晒されるから、露が付着することがない。
【図面の簡単な説明】
【０００８】
【図１】本発明の実施の形態１に係る空気調和機の室内機を説明する正面図。
【図２】図１に示す室内機を示す斜視図。
【図３】図１に示す室内機を示す側面視の断面図。
【図４】図１に示す室内機の一部を透過して示す斜視図。
【図５】図１に示す室内機の冷房運転時の上下風向板の動作を示すフローチャート。
【図６】図１に示す室内機の冷房運転開始時の上下風向板の動作を示す側面図。
【図７】図１に示す室内機の冷房運転停止時の上下風向板の動作を示す側面図。
【図８】図１に示す室内機の暖房運転時の上下風向板の動作を示すフローチャート。
【図９】図１に示す室内機の暖房運転開始時の上下風向板の動作示す側面図。
【図１０】図１に示す室内機の暖房運転停止時の上下風向板の動作を示す側面図。
【図１１】図１に示す室内機の傾動機構その１を構成する構成部材を分解して示す斜視図。
【図１２】図１１に示す傾動機構その１の構成部材の動作を示す側面図。
【図１３】図１１に示す傾動機構その１の構成部材の動作を示す側面図。
【図１４】図１１に示す傾動機構その１の構成部材の動作を示す側面図。
【図１５】図１に示す室内機の傾動機構その２を構成する構成部材を分解して示す斜視図。
【図１６】図１５に示す傾動機構その２の構成部材の動作を示す側面図。
【図１７】図１５に示す傾動機構その２の構成部材の動作を示す側面図。
【図１８】図１５に示す傾動機構その２の構成部材の動作を示す側面図。
【発明を実施するための形態】
【０００９】
［実施の形態１］
（空気調和機の室内機）
図１〜図１０は本発明の実施の形態１に係る空気調和機の室内機を説明するものであって、図１は正面図、図２は斜視図、図３は側面視の断面図、図４は一部を透過して示す斜視図、図５は冷房運転時の上下風向板の動作を示すフローチャート、図６は冷房運転開始時の上下風向板の動作を模式的に示す側面図、図７は冷房運転停止時の上下風向板の動作を模式的に示す側面図、図８は暖房運転時の上下風向板の動作を示すフローチャート、図９は暖房運転開始時の上下風向板の動作を模式的に示す側面図、図１０は暖房運転停止時の上下風向板の動作を模式的に示す側面図である。なお、各図は模式的に描いたものであって、本発明は図示された形態に限定するものではない。
【００１０】
図１〜図４において、空気調和機の室内機（以下「室内機」と称す）１は、函状の本体１０と、本体１０の内部に収納された送風ファン２０と、送風ファン２０の一部に対向して配置された熱交換器３０と、本体１０の前面（図３において左側）開口部を覆う前パネル（正確には、本体１０の側面の一部も覆っている、意匠パネルに同じ）４０と、を有している。
【００１１】
（吹出口）
本体１０は、後面（図３において右側）が室内の壁等に設置されるものであって、上面（図３において上側）には、室内空気を吸引するための吸込口５０と、内部には、送風ファン２０からの吹出風路を形成するためのファンケーシング６０を有している。
ファンケーシング６０は、前面開口部側に配置されたケーシング前部材（ケーシング前板に同じ）６１と、後面側に配置されたケーシング後部材（ケーシング後板に同じ）６２と、側面を形成する隔壁８０（図１１参照）とによって挟まれた所定幅の空間である。そして、ファンケーシング６０の終端、すなわち、下面（図３において下側）の前面側の側縁と、前パネル４０の下側の側縁との間に形成される隙間が、吹出口６３になっている。
【００１２】
（上下風向板）
さらに、吹出口６３には上下風向板として、前面側に前フラップ１００と、後面側に下フラップ２００と、が傾動自在に設置されている。
前フラップ１００の前フラップ裏面１００ｂには所定間隔で前フラップアーム１０１が設置され、前フラップアーム１０１には前フラップ回転軸１０２が設置されている。一方、ケーシング前部材６１にはケーシングフランジ６４が設置され、ケーシングフランジ６４にはケーシング軸受６５が設置されている。そして、前フラップ回転軸１０２がケーシング軸受６５に回転自在に軸支されている。
同様に、下フラップ２００の下フラップ裏面２００ｂには所定間隔で下フラップアーム２０１が設置され、下フラップアーム２０１には下フラップ回転軸２０２が設置されている。一方、吹出口６３に図示しないケーシングフランジが設置され、該ケーシングフランジにケーシング軸受が設置されている。そして、下フラップ回転軸２０２が当該ケーシング軸受に回転自在に軸支されている。
【００１３】
さらに、前フラップ１００がファンケーシング６０の内側に向かって（反時計回りに）傾動した際の傾動範囲を規定する前ストッパー１６０と、下フラップ２００がファンケーシング６０の外側に向かって（反時計回りに）傾動した際の傾動範囲を規定する下ストッパー２６０と、が設けられている。なお、前ストッパー１６０および下ストッパー２６０の構造は限定するものではなく、前フラップ１００および下フラップ２００がそれぞれ当接する構造でも、あるいは前フラップ回転軸１０２に設けた突起や段差および下フラップ回転軸２０２に設けた突起や段差が当接する構造であってもよい。
以下、理解を容易にするため、ケーシング前部材６１に設けられ、前フラップ１００が最大に傾動した際に当接する前ストッパー１６０と、ケーシング後部材６２に設けられ、下フラップ２００が最大に傾動した際に当接する下ストッパー２６０と、を例示して説明する。
また、図示しない制御手段は、傾動機構（図示しない）を制御して、前フラップ１００および下フラップ２００を、それぞれ独立に傾動されるものである。なお、傾動機構については別途詳細に説明する。
【００１４】
（運転停止時の状態）
図６の（ａ）において、図示しない制御装置は運転停止時に、前フラップ１００を前パネル４０と略平行の姿勢にしている。このとき、前フラップ裏面１００ｂはファンケーシング６０側に位置し、前フラップ表面１００ａが外側（前側）に位置して室内から視認可能になっている。
また、下フラップ２００は下面７０と略平行の姿勢にされ、下フラップ裏面２００ｂはファンケーシング６０側に位置し、下フラップ表面２００ａが外側（下側）に位置して室内から視認可能になっている。
なお、図６の（ａ）は部材の大きさと誇張して描いているため、前フラップ１００の下側の縁と、下フラップ２００の前面側の縁との間に隙間があるが、かかる隙間は両者が干渉しない程度に近接しているものである。したがって、吹出口６３は前フラップ１００および下フラップ２００によって閉じられているから、美観が保たれている。
【００１５】
（冷房運転開始時の動作）
次に、冷房運転開始時の動作について、図５および図６を参照して説明する。
図６の（ｂ）において、制御装置に冷房運転を開始する旨の信号が入力されると（図５のＳＳ１）、制御装置は、まず、下フラップ回転軸２０２を下フラップが下ストッパー２６０に当接する方向（図６において反時計回り）に傾動させて下ストッパー２６０に当接させる（図５のＳ１）。
このとき、下フラップ回転軸２０２はクラッチ機構（すべり機構）を介して回転されるから、下フラップ２００が下ストッパー２６０に当接した後、過剰に回転されることがない。したがって、運転停止時に、下フラップ２００の姿勢が変化（僅かに傾動する等）した場合でも、下ストッパー２６０に当接することによって、正確に位置決めされる。
【００１６】
図６の（ｃ）において、次に、下フラップ回転軸２０２を下フラップ２００が下ストッパー２６０から離れる方向（時計回り）に所定の角度Ａ２だけ回転させて、ファンケーシング６０内に停止させる（図５のＳ２）。
このとき、下フラップ２００は、ケーシング前部材６１とケーシング後部材６２との略中間にあって、下フラップ表面２００ａが上方に位置し、水平方向に対して所定の角度だけ傾斜した姿勢に固定されている。
【００１７】
図６の（ｄ）において、今度は、前フラップ回転軸１０２を前フラップ１００が前ストッパー１６０に当接する方向（反時計回り）に回転させて、前ストッパー１６０に当接させる（図５のＳ３）。
このとき、下フラップ回転軸２０２と同様に、前フラップ回転軸１０２もクラッチ機構（すべり機構）を介して回転されるから、前フラップ１００が前ストッパー１６０に当接した後、過剰に回転されることがない。したがって、運転停止時に、前フラップ１００の姿勢が変化（僅かに傾動する等）した場合でも、前ストッパー１６０に当接することによって、正確に位置決めされる。
【００１８】
図６の（ｅ）において、さらに、前フラップ回転軸１０２を前フラップ１００が前ストッパー１６０から離れる方向（時計回り）に所定の角度Ａ４だけ回転させて、ファンケーシング６０内に停止させる（図５のＳ４）。
このとき、前フラップ１００は、ケーシング前部材６１とケーシング後部材６２との略中間にあって、前フラップ表面１００ａが下方に位置し、下フラップよりも水平方向に近い角度だけ傾斜した姿勢に固定されている。
すなわち、下フラップ２００と前フラップ１００とは、端縁同士の間に隙間があるものの、両者は略同一曲面（正確には、僅かに屈曲した屈曲面）を形成するように段差なく滑らかに配置されている。したがって、下フラップ表面２００ａに沿って流れた空気は、引き続き前フラップ裏面１００ｂに沿って流れ、下フラップ裏面２００ｂに沿って流れた空気は、引き続き前フラップ表面１００ａに沿って流れる。
【００１９】
よって、下フラップ表面２００ａおよび下フラップ裏面２００ｂ、並びに、前フラップ表面１００ａおよび前フラップ裏面１００ｂは、何れも冷却された空気の流れに晒されるから、これらに露が付着することがない。よって、室内に露が滴下することがなくなり、快適性が向上する。
また、略水平方向の略同一曲面を形成した下フラップ２００と前フラップ１００とによって、冷却された空気が略水平方向に吹き出されるから、送風ファン２０の負荷を増すことなく、室内機１から遠い所にまで冷気が届き、室内を広い範囲に渡って冷却することができる。
よって、室内の温度ムラが緩和されるから、室内機１から遠い所の温度を下げるために、設定温度を過剰に低くして、送風ファン２０や熱交換器３０（正確には、熱交換器３０に冷熱を供給する冷凍サイクル）の負担を増す必要がなくなり、省エネ効果が得られる。一方、室内機１に近い所の温度が過剰に低くなることがなくなるから、快適性が向上する。
【００２０】
なお、以上は、下フラップ２００を下ストッパー２６０に当接させてから吹出風路内に停止させ、その後に、前フラップ１００を前ストッパー１６０に当接させてから吹出風路内に停止しているが、本発明はこれに限定するものではなく、何れを先に実行してもよい。たとえば、下フラップ２００および前フラップ１００をそれぞれ下ストッパー２６０および前ストッパー１６０に当接させた後、両者を吹出風路内に停止させても、前フラップ１００を前ストッパー１６０に当接させた後、下フラップ２００を下ストッパー２６０に当接させてもよい。
さらに、運転停止中に後、下フラップ２００あるいは前フラップ１００の姿勢が変動しない場合等には、下フラップ２００あるいは前フラップ１００をそれぞれ下ストッパー２６０および前ストッパー１６０に当接させるステップを省略してもよい。
【００２１】
（冷房運転終了時の動作）
次に、冷房運転終了時の動作について説明する、動作冷房運転終了時の動作は冷房運転開始時の動作を順番を逆にして実行するものである。
図７の（ａ）は図６の（ｅ）に同じであって、冷房運転の終了直前の姿勢を示している。
図７の（ｂ）において、制御手段に冷房運転終了の信号が入力されると（図５のＳＳ２）、制御手段は、まず、前フラップ回転軸１０２を前フラップ１００が前ストッパー１６０に当接する方向（反時計回り）に回転動させて、前フラップ１００を前ストッパー１６０に当接させる（図５のＳ５）。
図７の（ｃ）において、前フラップ回転軸１０２を前ストッパー１６０から離れる方向（時計回り）に所定の角度Ａ６だけ回転させて、前パネル４０と平行になる姿勢に停止させる（図５のＳ６）。
【００２２】
図７の（ｄ）において、今度は、下フラップ回転軸２０２を下フラップ２００が下ストッパー２６０に当接する方向に回転させて、下フラップ２００を下ストッパー２６０に当接させる（図５のＳ７）。
図７の（ｅ）において、最後に、下フラップ回転軸２０２を下フラップ２００が下ストッパー２６０から離れる方向（時計回り）に所定の角度Ａ８だけ回転させて、下フラップ２００を下面７０と平行の姿勢に停止させる（図５のＳ８）。
【００２３】
このとき、冷房運転開始時の動作と同様に、前フラップ１００および下フラップ２００は、それぞれ前ストッパー１６０および下ストッパー２６０に当接した後、傾動されるから、運転時に、前フラップ１００および下フラップ２００の姿勢が変化（僅かに傾動する等）した場合でも、正規の運転停止時の姿勢（図６の（ａ）参照）に停止する。よって、室内機１の吹出口６３は閉じられ、美観が保たれる。
なお、前記各ステップの順番が限定されないことや、下フラップ２００あるいは前フラップ１００をそれぞれ下ストッパー２６０および前ストッパー１６０に当接させるステップを省略してもよいことは、冷房運転開始時の動作に同じである。
【００２４】
（暖房運転開始時の動作）
次に、暖房運転開始時の動作について、図８および図９を参照して説明する。
図９の（ａ）は、運転停止時を示すもので、図６の（ａ）に同じである。
図９の（ｂ）において、制御手段に暖房運転開始の信号が入力されると（図８のＳＳ１１）、制御手段は、まず、下フラップ回転軸２０２を下フラップが下ストッパー２６０に当接する方向（図５において反時計回り）に傾動させて下ストッパー２６０に当接させる（図８のＳ１１）。
【００２５】
図９の（ｃ）において、次に、下フラップ回転軸２０２を下フラップ２００が下ストッパー２６０から離れる方向（時計回り）に所定の角度Ｂ２だけ回転させて、吹出口６３を横切る姿勢に停止させる（図８のＳ１２）。
このとき、下フラップ２００はケーシング後部材を滑らかに延長した仮想面に略平行（前面側が下方になるように傾斜している）であって、下フラップ裏面２００ｂが上方に位置している。
【００２６】
図９の（ｄ）において、前フラップ１００を前ストッパー１６０に当接する方向（反時計回り）に傾動させて前ストッパー１６０に当接させる（図８のＳ１３）。
図９の（ｄ）において、そして、前フラップ１００を前ストッパー１６０から離れる方向（時計回り）に所定の角度Ｂ４だけ傾動させて、下フラップ２００に対向して、風流れの下流になる程近づく姿勢に停止させる（図８のＳ１４）。
【００２７】
このとき、前フラップ１００は、下フラップ２００よりも大きく傾斜し（より鉛直に近い姿勢に同じ）、前フラップ表面１００ａが下方に位置している。したがって、前フラップ表面１００ａと下フラップ裏面２００ｂとによって、風流れの下流になる程狭くなる風路が形成されている。
よって、室内機１から下方に向けて勢い良く加熱された空気が吹き出される。暖気が天井側に籠もることもなく、室内を温度ムラなく暖房することができる。
なお、下フラップ２００の角度Ｂ２、Ｂ４の値は限定するものではなく、使用者によって適宜設定されたり、所定の時間サイクルで変動したりしてもよい。また、暖房運転中、下フラップ２００が下ストッパー２６０に当接したまま、すなわち「Ｂ２＝０°」、あるいは、前フラップ１００が前ストッパー１６０に当接したまま、すなわち「Ｂ４＝０°」であってもよい。
なお、前記各ステップの順番が限定されないことや、下フラップ２００あるいは前フラップ１００をそれぞれ下ストッパー２６０および前ストッパー１６０に当接させるステップを省略してもよいことは、冷房運転開始時の動作に同じである。
【００２８】
（暖房運転終了時の動作）
なお、暖房運転終了時の動作は、冷房運転終了時の動作（図７参照）に準じる。
図１０の（ａ）は図９の（ｅ）に同じであって、暖房運転の終了直前の姿勢を示している。
図１０の（ｂ）において、制御手段に暖房運転終了の信号が入力されると（図８のＳＳ１２）、制御手段は、まず、前フラップ回転軸１０２を前フラップ１００が前ストッパー１６０に当接する方向（反時計回り）に回転動させて、前フラップ１００を前ストッパー１６０に当接させる（図８のＳ１５）。
図１０の（ｃ）において、前フラップ回転軸１０２を前ストッパー１６０から離れる方向（時計回り）に所定の角度Ｂ６だけ回転させて、前パネル４０と平行になる姿勢に停止させる（図８のＳ１６）。
【００２９】
図１０の（ｄ）において、今度は、下フラップ回転軸２０２を下フラップ２００が下ストッパー２６０に当接する方向に回転させて、下フラップ２００を下ストッパー２６０に当接させる（図８のＳ１７）。
図１０の（ｅ）において、最後に、下フラップ回転軸２０２を下フラップ２００が下ストッパー２６０から離れる方向（時計回り）に所定の角度Ｂ８だけ回転させて、下フラップ２００を下面７０と平行の姿勢に停止させる（図８のＳ１８）。
【００３０】
このとき、暖房運転開始時の動作と同様に、前フラップ１００および下フラップ２００は、それぞれ前ストッパー１６０および下ストッパー２６０に当接した後、傾動されるから、運転時に、前フラップ１００および下フラップ２００の姿勢が変化（僅かに傾動する等）した場合でも、正規の運転停止時の姿勢（図６の（ａ）参照）に停止する。よって、室内機１の吹出口６３は閉じられ、美観が保たれる。
なお、前記各ステップの順番が限定されないことや、下フラップ２００あるいは前フラップ１００をそれぞれ下ストッパー２６０および前ストッパー１６０に当接させるステップを省略してもよいことは、冷房運転開始時の動作に同じである。
【００３１】
（傾動機構その１）
次に、図１１〜図１４を参照して傾動機構その１について説明する。
図１１〜図１４は、傾動機構その１を説明するものであって、図１１は構成する構成部材を分解して示す斜視図、図１２〜１３は傾動機構その１の構成部材の動作を示す側面図である。図１１〜図１４において、前フラップ１００および下フラップ２００は、それぞれ独立に傾動されるものであって、前フラップ１００を傾動する第１ステッピングモーター１９０および下フラップ２００を傾動する第２ステッピングモーター２９０が、本体１０の隔壁８０に設置されたモーターケース９０に収納されている。以下、傾動機構について詳細に説明する。
【００３２】
（第１制動部材）
図１１において、前フラップ１００に設置された前フラップアーム１０１のうち隔壁８０に最も近い前フラップアーム１０１には、第１制動部材１１０が一体的に傾動するように設置される。
第１制動部材１１０は、断面円形の軸部１１１と、軸部１１１に設置された円盤部１１２と、円盤部１１２に形成された円弧状凹部１１３と、第１ステッピングモーター１９０の傾動軸に連結される端部１１４と、を有している。
【００３３】
（第２制動部材）
下フラップ２００に設置された下フラップアーム２０１のうち隔壁８０に最も近い下フラップアーム２０１には、第２駆動部材２１０が一体的に傾動するように設置される。
第２駆動部材２１０は、断面円形の軸部２１１と、軸部２１１に設置された駆動フランジ２１２と、駆動フランジ２１２の先端に設置された駆動ピン２１３と、第２ステッピングモーター２９０の傾動軸に連結される端部２１４と、を有している。
また、第２駆動部材２１０は、第２連結部材２３０を介して第２制動部材２４０に連結される。第２連結部材２３０は、連結アーム２３１と、連結アーム２３１の両端部にそれぞれ設置された連結ピン孔２３３、２３４を有している。
第２制動部材２４０は、軸部２４１と、軸部２４１の中心を中心とする扇形からなる扇状部２４２と、軸部２４１に設置された制動フランジ２４３と、制動フランジ２４３の先端に設置された制動ピン２４４と、を有している。
【００３４】
（隔壁軸受）
一方、隔壁８０には、第１制動部材１１０の軸部１１１を傾動自在に軸支する隔壁軸受８１と、第２駆動部材２１０の軸部２１１の隔壁８０側を傾動自在に軸支する隔壁軸受８２と、第２制動部材２４０の軸部２４１を傾動自在に軸支する隔壁軸受８４と、が設けられている。このとき、隔壁軸受８４は、隔壁軸受８１と隔壁軸受８２との間にあって、三角形状に配置されている。
【００３５】
（モーターケース）
また、モーターケース９０には、第２制動部材２４０の軸部２４１の第１ステッピングモーター１９０側を傾動自在に軸支する軸受（図示しない）が設けられているが、当該軸受または隔壁軸受８４の一方を省略してもよい。
さらに、モーターケース９０には、これを隔壁８０に設置するためナット（図示しない）が貫通する貫通孔９８が形成され、隔壁８０には、貫通孔９８に対応した位置に隔壁雌ネジ８９が形成されている。なお、第１ステッピングモーター１９０および第２ステッピングモーター２９０は、公知の手段によってモーターケース９０に設置されている。
【００３６】
そして、前フラップ１００に接続された第１制動部材１１０の軸部１１１は隔壁軸受８１によって、下フラップ２００に接続された第２駆動部材２１０の軸部２１１は隔壁軸受８２によって、第２制動部材２４０の軸部２４１は隔壁軸受８４およびモーターケース９０に設けられた軸受（図示しない）によって、それぞれ傾動自在に軸支される。
また、第２連結部材２３０の連結ピン２３３および連結ピン２３４は、それぞれ、第２駆動部材２１０の駆動ピン２１３および第２制動部材２４０の制動ピン２４４に傾動自在に係止する。
【００３７】
（運転停止時における傾動機構）
図１２に示す運転停止（休止）時において、前フラップ１００は略鉛直に起立し、下フラップ２００は略水平に倒伏している（図６の（ａ）参照）。
このとき、前フラップ１００の第１制動部材１１０の円弧状凹部１１３は略鉛直に起立している。また、第２駆動部材２１０の駆動フランジ２１２は起立し、第２連結部材２３０を上方に押し上げている。そのため、第２制動部材２４０の扇状部２４２は略水平に倒伏している。
そして、円弧状凹部１１３の円弧面（凹面）と扇状部２４２の円弧面（凸面）とが当接している。したがって、前フラップ１００を傾動しようとしても、前記当接が傾動を阻止するから、前フラップ１００を傾動させることができない。すなわち、前フラップ１００はロックされた状態にある。
【００３８】
（運転時における傾動機構）
図１３において、第２ステッピングモーター２９０が第２駆動部材２１０を時計回りに傾動している（紙面の裏から見れば、反時計回りに傾動している）から、駆動フランジ２１２は倒伏している。このため、第２連結部材２３０は引き下げられ、第２制動部材２４０も時計回りに傾動している。すなわち、扇状部２４２は倒立し、その円弧部は第１制動部材の円弧状凹部１１３から離れているから、前フラップ１００は傾動自在になっている。すなわち、前フラップ１００のロックが外れた状態（以下「アンロック」と称す場合がある）になる（図６の（ｃ）参照）。
【００３９】
図１４において、第１ステッピングモーター１９０を起動して、前フラップ１００を反時計回りに傾動すれば、前フラップ１００を略水平に倒伏することができる。そして、この状態で、今度は、下フラップ２００を反時計回りに傾動しようとすると、第２制動部材２４０の扇状部２４２の先端が、第１制動部材１１０の円盤部１１２に当接するから、傾動することができない。なお、図には両者の間に隙間を設けているから、正確には該隙間分だけ傾動する（図６の（ｅ）参照）。
【００４０】
以上のように、室内機１では前記傾動機構を有し、第１制動部材１１０と第２制動部材２４０とのロックまたはアンロックによって、前フラップ１００または下フラップ２００が不用意な傾動をしないから、前フラップ１００と下フラップ２００とを近接して配置しても、両者が傾動の際に、干渉することがない。
よって、前フラップ１００と下フラップ２００とによって吹出口６３を、隙間を比較的狭くして覆うことが可能になる。すなわち、吹出口６３は、前フラップ１００の前フラップ表面１００ａと下フラップ２００の表面とによって意匠性が担保される。
【００４１】
なお、以上の各図は、模式的に描くものであって、相互の位置や大小関係は図示するものに限定するものではない。また、第１制動部材１１０と第２制動部材２４０とは円弧状の当接面の広い範囲において当接しているが、第１制動部材１１０の円弧状凹部１１３を平面にして、第１制動部材１１０が所定の角度だけ傾動したときにのみ、第２制動部材２４０に部分的に当接するようにしてもよい。また、円盤部１１２は第２制動部材２４０との当接面が形成されればよいから、円形である必要はない。
【００４２】
（傾動機構その２）
次に、本発明は傾動機構を限定するものではないから、傾動機構その２を例示する。
図１５〜図１８は、傾動機構その２を説明するものであって、図１５は構成する構成部材を分解して示す斜視図、図１６〜１７は傾動機構その２の構成部材の動作を示す側面図である。
【００４３】
（第１制動部材）
図１５において、前フラップ１００に設置された前フラップアーム１０１のうち隔壁８０に最も近い前フラップアーム１０１には、第１制動部材１２０が一体的に傾動するように設置される。
第１制動部材１２０は、断面円形の軸部１２１と、軸部１２１に設置されたカム部１２２と、第１ステッピングモーター１９０の傾動軸に連結される端部１２４と、を有している。このとき、カム部１２２は段差部１２３が形成された端面カムであって、段差部１２３を境に、径大部１２２ａと、径大部１２２ａより軸部１２１の中心からの距離が小さい径小部１２２ｂとを、有している。
【００４４】
（第２制動部材）
下フラップ２００に設置された下フラップアーム２０１のうち隔壁８０に最も近い下フラップアーム２０１には、第２制動部材２２０が一体的に傾動するように設置される。
第２制動部材２２０は、断面円形の軸部２２１と、軸部２２１に設置されたカム部２２２と、第２ステッピングモーター２９０の傾動軸に連結される端部２２４と、を有している。このとき、カム部２２２は段差部２２３が形成された端面カムであって、段差部２２３を境に、径大部２２２ａと、径大部２２２ａより軸部２２１の中心からの距離が小さい径小部２２２ｂとを、有している。
【００４５】
（シーソー部材）
シーソー部材３００は、アーム部３０４と、アーム部３０４の中央に設けられた揺動軸３０３とを有している。以下、アーム部３０４の一方の先端を第１先端３０１、他方の先端を第２先端３０２と称す。
【００４６】
（隔壁軸受）
一方、隔壁８０には、第１制動部材１２０の軸部１２１を傾動自在に軸支する隔壁軸受８１と、第２制動部材２２０の軸部２２１を傾動自在に軸支する隔壁軸受８２と、シーソー部材３００の揺動軸３０３の隔壁８０側を傾動自在に軸支する隔壁軸受８３が、設置されている。
なお、シーソー部材３００の揺動軸３０３のモーターケース９０側は、モーターケース９０に設けられた軸受（図示しない）によって傾動自在に軸支されているが、該軸受または隔壁軸受８３の一方を省略してもよい。
【００４７】
（運転停止時における傾動機構）
図１６の（ａ）に示す運転停止（休止）時において、前フラップ１００は略鉛直に起立し、一方、下フラップ２００は略水平に倒伏している（図６の（ａ）参照）。
このとき、前フラップ１００に一体的に接続された第１制動部材１２０の径小部１２２ｂは上方に位置し、一方、下フラップ２００に一体的に接続された第２制動部材２２０の径大部２２２ａは上方に位置し、径大部２２２ａにシーソー部材３００の第２先端３０２が当接している。また、シーソー部材３００の第１先端３０１は、第１制動部材１２０の径小部１２２ｂに当接または僅かな隙間を空けて対向している。
【００４８】
したがって、前フラップ１００を反時計回りに傾動しようとすると、シーソー部材３００の第１先端３０１に第１制動部材１２０の段差部１２３が当接して、シーソー部材３００を時計回りに傾動させようとするものの、シーソー部材３００の第２先端３０２は第２制動部材２２０の径大部２２２ａに当接しているから、前フラップ１００を反時計回りに傾動させることができない。すなわち、前フラップ１００はロックされた状態にある。
【００４９】
（運転時における傾動機構）
図１７に示す運転開始時において、第２ステッピングモーター２９０が第２駆動部材２１０を時計回りに傾動している（紙面の裏から見れば、反時計回りに傾動している）から、第２制動部材２２０の径小部２２２ｂが上方に位置している（図６の（ｃ）参照）。
そうすると、シーソー部材３００の第２先端３０２は第２制動部材２２０の径小部２２２ｂに当接するまで、傾動（揺動）することができる。
【００５０】
図１８において、第１ステッピングモーター１９０を起動して、前フラップ１００を反時計回りに傾動すれば、前フラップ１００は略水平に倒伏した姿勢になる（図６の（ｅ）参照）。
すなわち、シーソー部材３００は、前記のように傾動（揺動）することができるから、 第１制動部材１２０が反時計回りに傾動すると、カム部１２２の径大部１２２ａはシーソー部材３００の第２先端３０２に当接してシーソー部材３００を傾動させる。すなわち、前フラップ１００の傾動はロックが外れた状態（アンロックに同じ）になる。このとき、シーソー部材３００の第２先端３０２は第２制動部材２２０の径小部２２２ｂに当接または僅かな間隔を空けて対向している。
【００５１】
また、下フラップ２００を反時計回りに傾動しようとすると、シーソー部材３００の第２先端３０２が第２制動部材２２０の段差部２２３に当接して、シーソー部材３００を反時計回りに傾動させようとするものの、シーソー部材３００の第１先端３０１は第１制動部材１２０の径大部１２２ａに当接しているから、下フラップ２００を反時計回りに傾動させることができない。すなわち、下フラップ２００はロックされた状態にある。
【産業上の利用可能性】
【００５２】
本発明によれば、冷房運転時に、上下風向板への露の付着を防止することができるから、家庭用および事業用の各種空気調和機の室内機として広く利用することができる。
【符号の説明】
【００５３】
１：室内機、１０：本体、２０：送風ファン、３０：熱交換器、４０：前パネル、５０：吸込口、６０：ファンケーシング、６１：ケーシング前部材、６２：ケーシング後部材、６３：吹出口、６４：ケーシングフランジ、６５：ケーシング軸受、７０：下面、８０：隔壁、８１：隔壁軸受、８２：隔壁軸受、８３：隔壁軸受、８４：隔壁軸受、８９：隔壁雌ネジ、９０：モーターケース、９８：貫通孔、１００：前フラップ、１００ａ：前フラップ表面、１００ｂ：前フラップ裏面、１０１：前フラップアーム、１０２：前フラップ回転軸、１１０：制動部材、１１１：軸部、１１２：円盤部、１１３：円弧状凹部、１１４：端部、１２０：制動部材、１２１：軸部、１２２：カム部、１２２ａ：径大部、１２２ｂ：径小部、１２３：段差部、１２４：端部、１６０：前ストッパー、１９０：ステッピングモーター、２００：下フラップ、２００ａ：下フラップ表面、２００ｂ：下フラップ裏面、２０１：下フラップアーム、２０２：下フラップ回転軸、２１０：駆動部材、２１１：軸部、２１２：駆動フランジ、２１３：駆動ピン、２１４：端部、２２０：制動部材、２２１：軸部、２２２：カム部、２２２ａ：径大部、２２２ｂ：径小部、２２３：段差部、２２４：端部、２３０：連結部材、２３１：連結アーム、２３３：連結ピン孔、２３４：連結ピン、２４０：制動部材、２４１：軸部、２４２：扇状部、２４３：制動フランジ、２４４：制動ピン、２６０：下ストッパー、２９０：ステッピングモーター、３００：シーソー部材、３０１：先端、３０２：先端、３０３：揺動軸、３０４：アーム部、Ａ２：角度、Ａ４：角度、Ａ６：角度、Ａ８：角度、Ｂ２：角度、Ｂ４：角度。
【図１】
2010281550.tif 000003
【図２】
2010281550.tif 000004
【図３】
2010281550.tif 000005
【図４】
2010281550.tif 000006
【図５】
2010281550.tif 000007
【図６】
2010281550.tif 000008
【図７】
2010281550.tif 000009
【図８】
2010281550.tif 000010
【図９】
2010281550.tif 000011
【図１０】
2010281550.tif 000012
【図１１】
2010281550.tif 000013
【図１２】
2010281550.tif 000014
【図１３】
2010281550.tif 000015
【図１４】
2010281550.tif 000016
【図１５】
2010281550.tif 000017
【図１６】
2010281550.tif 000018
【図１７】
2010281550.tif 000019
【図１８】
2010281550.tif 000020